(57)【要約】      （修正有）【課題】手動で位置決めすることなく上層ケースを所望の位置に固定し、容易に閉鎖しない錠止枢接装置を提供する。【解決手段】上層ケースと、下層ケースとを備え、上層ケースの一側には、スルーホールが形成されたアームが突設され、下層ケースには、上層ケースのアームと対応する個所にスルーホールが形成されたアームが設置され、上層ケースのスルーホールと下層ケースのスルーホールは、孔径が近いままたは同一であると共に、同一軸線上に位置する腕時計ケースの錠止枢接装置であって、上層ケースのアームのスルーホールと下層ケースのアームのスルーホールの間には上層ケースを回転させ且つ所望の位置に位置決め、錠止可能な枢接軸が貫通する。枢接軸は一組又は複数組の互いに噛合する錠止ギヤー対を備え、錠止ギヤー対のうち一方の錠止ギヤーは接続手段を介して上層ケースのアームに固定連結され、他方の錠止ギヤーは接続手段を介して下層ケースのアームに固定連結される。【選択図】図６
0003114479.tif 000002
【実用新案登録請求の範囲】
【請求項１】
上層ケースと、下層ケースとを備え、前記上層ケースの一側には、スルーホールが形成された少なくとも一つのアームが突設され、前記下層ケースには、前記上層ケースのアームと対応する個所にスルーホールが形成された少なくとも一つのアームが設置され、上層ケースに形成された前記スルーホールと下層ケースに形成された前記スルーホールは、孔径が近いか又は同一であると共に、同一軸線上に位置する腕時計ケースの錠止枢接装置であって、
上層ケースのアームの前記スルーホールと下層ケースのアームの前記スルーホールの間には上層ケースを回転させ且つ所望の位置に位置決め、錠止可能な枢接軸が貫通することを特徴とする腕時計ケースの錠止枢接装置。
【請求項２】
前記枢接軸は互いに噛合する錠止ギヤー対を備え、該錠止ギヤー対のうち、一方の錠止ギヤーは接続手段を介して上層ケースのアームに固定連結され、他方の錠止ギヤーは接続手段を介して下層ケースのアームに固定連結されることを特徴とする、請求項１に記載の腕時計ケースの錠止枢接装置。
【請求項３】
前記枢接軸は二組又は二組以上の互いに噛合する錠止ギヤー対を備え、前記錠止ギヤー対のうち一方の錠止ギヤーは接続手段を介して上層ケースのアームに固定連結され、他方の錠止ギヤーは接続手段を介して下層ケースのアームに固定連結されることを特徴とする、請求項１に記載の腕時計ケースの錠止枢接装置。
【請求項４】
前記隣接する二組の錠止ギヤー対の間に弾性部材が設けられていることを特徴とする、請求項３に記載の腕時計ケースの錠止枢接装置。
【請求項５】
前記隣接する二組の錠止ギヤー対において、隣り合う二つのギヤーは一体に固定連結され、又は両端部ともに歯が設けられているギヤーに一体成形されることを特徴とする、請求項３に記載の腕時計ケースの錠止枢接装置。
【請求項６】
前記錠止ギヤーは、その端面に歯が形成され、その側縁に接続手段と接続する固定孔が形成されることを特徴とする、請求項２から請求項４までのいずれか１項に記載の腕時計ケースの錠止枢接装置。
【請求項７】
前記枢接軸は、上層ケース又は下層ケースのスルーホールを塞ぐための栓塞を更に有していることを特徴とする、請求項２から請求項５までのいずれか１項に記載の腕時計ケースの錠止枢接装置。
【請求項８】
前記固定孔は、ネジ穴であることを特徴とする、請求項６に記載の腕時計ケースの錠止枢接装置。
【考案の詳細な説明】
【技術分野】
【０００１】
本考案は枢接軸に関し、具体的には、腕時計用の時計ケースにおける錠止枢接装置に関する。
【背景技術】
【０００２】
技術、経済の発展に伴い、温度計や羅針儀などを装着した多機能腕時計が製造されている。これらの腕時計は、通常、二層構造になっており、上層が文字盤用ケースであり、下層が羅針儀又は温度計用ケースである。上層ケース中に腕時計のムーブメントを装着して時計としての機能を持たせ、下層ケース中に羅針儀または温度計を装着する。これにより多機能腕時計が構成される。上層ケースと下層ケースの間には、一端が軸に枢接し、他端が錠止キャッチにより着脱自在になる。そして、下層ケースにはバンドが枢接する。
【０００３】
このような腕時計によれば、多機能さの要求は満足できるが、上層ケースと下層ケースとの間はただ簡単な枢軸により連結されているため、上層ケースを開けた場合、重力により自動的に下層ケースと閉合する。不注意により、下層ケースにおける羅針儀又は温度計を壊すことを防ぐためには、手動で位置決めしなければならないため、使用に際して非常に不便である。
【０００４】
以上に鑑み、本考案の考案者は当該分野における長年の実務経験に基づき、鋭意研究及び開発に努めた結果、手動で位置決めすることなく上層ケースを所望の位置に固定し、かつ容易に閉鎖しない枢軸接続構造を開発した。
【考案の開示】
【考案が解決しようとする課題】
【０００５】
本考案の主な目的は、腕時計ケースにおける錠止枢接装置を提供することである。該枢接軸によれば、従来の多機能腕時計において、上層ケースと下層ケースとの間が枢軸により連結されるため、上層ケースが位置決めできずに、下層ケースにおける他の装置が壊れるといった問題を解決することができる。
【課題を解決するための手段】
【０００６】
本考案における腕時計ケースの錠止枢接装置は、上層ケースと、下層ケースと、を備え、前記上層ケースの一側にはスルーホールが形成された少なくとも一つのアームが突設され、前記下層ケースには前記上層ケースのアームと対応した個所にスルーホールが形成された少なくとも一つのアームが設置され、上層ケースに形成された前記スルーホールと下層ケースに形成された前記スルーホールは、孔径が略同一であると共に、同一軸線上に位置する腕時計ケースの錠止枢接装置であって、上層ケースの前記スルーホールと下層ケースの前記スルーホールの間には、上層ケースを回転させ且つ所望の位置に位置決めする、錠止可能な枢接軸が貫通することを特徴とする。
【０００７】
前記枢接軸は互いに噛合する錠止ギヤー対を備え、該錠止ギヤー対のうち、一方の錠止ギヤーは接続手段を介して上層ケースのアームに固定連結され、他方の錠止ギヤーは接続手段を介して下層ケースのアームに固定連結される。
【０００８】
前記枢接軸は二組又は二組以上の互いに噛合する錠止ギヤー対を備え、前記錠止ギヤー対のうち一方の錠止ギヤーは接続手段を介して上層ケースのアームに固定連結され、他方の錠止ギヤーは接続手段を介して下層ケースのアームに固定連結される。
【０００９】
前記隣接する二組の錠止ギヤー対の間に弾性部材が設けられる。
【００１０】
前記隣接する二組の錠止ギヤー対において、隣り合う二つのギヤーは一体に固定連結され、又は両端部ともに歯が設けられているギヤーに一体成形される。
【００１１】
前記錠止ギヤーは、その端面に歯が形成され、その側縁に接続手段と接続する固定孔が形成される。
【００１２】
前記枢接軸は、上層ケース又は下層ケースのスルーホールを塞ぐための栓塞を更に有している。
【００１３】
前記固定孔はネジ穴である。
【００１４】
本考案における腕時計ケースの錠止枢接装置は、互いに噛合する二つのギヤーを設置することによって上層ケースの開閉角度を制御すると共に、上層ケースを位置決め、かつ錠止するので、便利且つ安全であるといった特徴を有する。
【考案を実施するための最良の形態】
【００１５】
[実施形態１]
図１、図６に示すように、本考案における腕時計ケースの錠止枢接装置は、上層ケース１と、下層ケース２と、二組の錠止ギヤー対と、接続手段４及び５と、栓塞６と、弾性部材７と、を備えるものであり、図２、図３に示すように、上層ケース１は、その一側にアーム１０を突設し、対向する他方の側に錠止キャッチ１１を設け、従来の多機能腕時計と同様に、この上層ケース１は、円形又は正方形などの多種類の形状をなすことができると共に、アーム１０の中間にスルーホール１２が形成されており、アーム１０の側壁にスルーホール１２と垂直な軸線を有する二つの貫通孔１３が形成される。図３に示すように、該貫通孔１３の横断面は楕円形をなしている。
【００１６】
図４、図５に示すように、下層ケース２は上層ケース１と同じ形状になっており、両者は互いに重なり合うことができ、上層ケース１のアーム１０と対応する一側に２本のアーム２０が設けられており、他側に錠止キャッチ１１と係合可能な係合キャッチ２１が設置されて、２本のアーム２０の間に、ちょうど上層ケース１のアーム１０を収納し、且つ上層ケース１を自由に回転させることができる。該２本のアーム２０と同一軸線上にある貫通孔２２が形成される。上層ケース１と下層ケース２が重なった場合、アーム１０の貫通孔１２はアーム２０の貫通孔２２と同一軸線上に位置し、他側の錠止キャッチ１１と係合キャッチ２１とが互いに係合し、固定する働きをする（錠止キャッチ１１と係合キャッチ２１の構造は従来の多機能腕時計の構造と同じであるため、詳しい説明を省略する。また、両者の位置関係は状況によって任意に変化し得る）。図５に示すように、２本のアーム２０のそれぞれに横断面円形の貫通孔２３が形成されている。また、アーム２０と係合キャッチ２１が設けられた一側にいずれも貫通孔２４が形成されて、該貫通孔２４によりバンドと枢接できる。
【００１７】
図６に示すように、錠止ギヤー対は互いに噛合する二つの錠止ギヤー３０、３１を備える。図７Ａ−図７Ｃに示すように、錠止ギヤー３０は短円柱体で、その一端が平面で（スプリング７を嵌めるための凹溝３０４を形成し得る）、他端の中間に貫通しない凹溝３０１が形成され、該凹溝３０１の側壁に歯車の歯３０２が形成される。円柱体の円周面にはネジ穴３０３が形成される。また、図８Ａ−図８Ｃに示すように、錠止ギヤー３１の構造は錠止ギヤー３０と類似し、やはり短円柱体に形成され、その一端が平面で、他端の中間に貫通しない凹溝３１１が形成され、該凹溝３１１の側壁に歯車の歯３１２が形成されると同時に、円柱体の側縁に固定孔３１３が形成される。
【００１８】
図９に示すように、錠止ギヤー３０と上層ケース１を連結するための接続手段４はボルトであり、その一端に工具を挿入するための一字型溝４０が形成され、他端にネジ穴３０３と螺合する雄ネジ４１が形成される。そして、錠止ギヤー３１と下層ケース２を連結するための接続手段５は接続ピンであり、該接続ピン５と固定孔３１３、貫通孔２３とは締まり嵌めで嵌合される。
【００１９】
本実施形態において、腕時計ケースの錠止枢接装置とケースとの組立工程は以下のようである。
【００２０】
先ず、上層ケース１のアーム１０のスルーホール１１内に弾性部材７（例えば、圧縮ばね）を設置し、そして、アーム１０を下層ケース２の２つのアーム２０の間に位置づけ、スルーホール１１、２１を同一軸線上に位置させる。次に、二つの錠止ギヤー対３をそれぞれスルーホール２１の両端から組み込み、接続手段４、５により固定して、錠止ギヤー３０と上層ケース１を固定連結し、錠止ギヤー３１と下層ケース２を固定連結する。更に、スルーホール２１の両側端において栓塞６を挿入してスルーホールを閉鎖する。このように、二組の錠止ギヤー３０、３１と弾性部材７により枢接軸を構成し、該枢接軸を介して上層ケース１は下層ケース２に対して回転できる。また、回転する際に、ギヤー３０、３１の歯３０２、３１２の噛合いで、上層ケース１を異なる角度で位置決め固定することができる。
【００２１】
[実施形態２]
図１１に示すように、本実施形態における腕時計の錠止枢接装置は実施形態１におけるものと略同一であり、その異なるところはただ一組のみの錠止ギヤーを設置することである。そのうち、一つの錠止ギヤーを接続手段４のネジと一緒に上層ケース１を回転させ、他の一つの錠止ギヤーを接続手段（ピン）５により下層ケース２と固定し、二つの錠止ギヤーの両端を栓塞６により閉鎖する。このように、ただ一組の錠止ギヤーによって上層ケース１を回転させると共に異なる角度に位置決め固定することができる。
【００２２】
[実施形態３]
図１０に示すように、本実施形態における腕時計ケースの錠止枢接装置は実施形態１におけるものと基本的に同一であり、その異なるところは、ただ二組の錠止ギヤーのうち隣接する二つのギヤー３０を一つのギヤーにしていることである。該ギヤーの両端にはいずれも歯３０２が形成されている。これにより、本考案の目的を更に達成することができる。
【００２３】
要するに、本考案における腕時計の錠止枢接装置は使用する際に便利であり、かつ安全性等に優れている。以上、本考案を実現するための最良の形態を説明してきたが、これは本考案の保護範囲ではない。即ち、当業者には、本考案はその要旨を逸脱しない範囲内で種々変形又は変更可能である。従って、本考案の要旨を逸脱しない範囲内での変形又は変更はすべて本考案の保護範囲に属するものである。
【図面の簡単な説明】
【００２４】
【図１】実用新案による錠止枢接軸を用いた腕時計の概略断面図である
【図２】本考案における上層ケースの概略側面図である。
【図３】図２に示す上層ケースの一部のＡ方向における概略図である
【図４】本考案における下層ケースの概略側面図である。
【図５】本考案における下層ケースの概略平面図である。
【図６】図１におけるＢ―Ｂ線に沿って切断した概略断面図である。
【図７Ａ】本考案における錠止ギヤーの正面図である。
【図７Ｂ】本考案における錠止ギヤーの平面図である。
【図７Ｃ】本考案における錠止ギヤーの断面図である。
【図８Ａ】本考案における錠止ギヤーの正面図
【図８Ｂ】本考案における錠止ギヤーの正面図である。
【図８Ｃ】本考案における錠止ギヤーの断面図である。
【図９】本考案における接続手段の概略側面図である。
【図１０】図１におけるＢ―Ｂ線に沿って切断した別の実施形態の断面図である。
【図１１】図１におけるＢ―Ｂ線に沿って切断したさらに別の実施形態の断面図である
【符号の説明】
【００２５】
１  上層ケース
２  下層ケース
４、５  接続手段
６  栓塞
７  弾性部材
１０、２０  アーム
１１  錠止キャッチ
１２  スルーホール
１３  貫通孔
２１  係合キャッチ
２２、２３、２４  貫通孔
３０、３１  錠止ギヤー
４０、３０４  一字型溝
４１  雄ネジ
３０１、３１１  凹溝
３０２、３１２  歯
３０３  ネジ穴
３１３  固定孔
【図１】
0003114479.tif 000003
【図２】
0003114479.tif 000004
【図３】
0003114479.tif 000005
【図４】
0003114479.tif 000006
【図５】
0003114479.tif 000007
【図６】
0003114479.tif 000008
【図７Ａ】
0003114479.tif 000009
【図７Ｂ】
0003114479.tif 000010
【図７Ｃ】
0003114479.tif 000011
【図８Ａ】
0003114479.tif 000012
【図８Ｂ】
0003114479.tif 000013
【図８Ｃ】
0003114479.tif 000014
【図９】
0003114479.tif 000015
【図１０】
0003114479.tif 000016
【図１１】
0003114479.tif 000017